(57)【特許請求の範囲】
【請求項１】
燃料の加圧圧送のために軸方向に往復動するプランジャ（３）と、
前記プランジャ（３）が滑動する内周面を有し、前記プランジャ（３）を摺動可能に収納するシリンダ（４）と、
前記プランジャ（３）を往復動させるカム（８、３２、３３）を有するカム機構（２、
３０）とを備え、
前記カム（８、３２、３３）の回転により前記プランジャ（３）を前記シリンダ（４）内で往復動させることにより、燃料を加圧圧送する高圧燃料ポンプ（１）において、
前記プランジャ（３）および前記シリンダ（４）の軸方向をＰ、前記カム（８、３２、３３）の軸方向をＣ、前記両軸方向Ｐ、Ｃと直交する方向をＺと呼ぶとき、前記シリンダ（４）は、Ｚ方向にのみ肉厚が薄い薄肉部（４Ａ）を有することを特徴とする高圧燃料ポンプ。
【請求項２】
請求項１に記載の高圧燃料ポンプ（１）において、
前記シリンダ（４）は、前記軸方向Ｐと直角な横断面形状が、一対の曲面部（４ａ）と一対の平面部（４ｂ）とからなる外周面を有する二面幅形状を呈しており、
前記薄肉部（４Ａ）は、前記平面部（４ｂ）と前記内周面とによって形成されていることを特徴とする高圧燃料ポンプ。
【請求項３】
請求項１に記載の高圧燃料ポンプ（１）において、
前記シリンダ（４）は、前記軸方向Ｐと直角な横断面形状が、短軸と長軸とをもつ楕円状の外周面を有する楕円形状を呈しており、
前記薄肉部（４Ａ）は、短軸方向の前記外周面と前記内周面とによって形成されていることを特徴とする高圧燃料ポンプ。
【請求項４】
請求項１に記載の高圧燃料ポンプ（１）において、
前記シリンダ（４）は、前記軸方向Ｐと直角な横断面形状が、短辺（４ｃ）と長辺（４ｄ）とからなる外周面を有する長方形を呈しており、
前記薄肉部（４Ａ）は、長辺側の前記外周面と前記内周面とによって形成されていることを特徴とする高圧燃料ポンプ。
【請求項５】
請求項１〜請求項４のいずれか１つに記載の高圧燃料ポンプ（１）において、
この高圧燃料ポンプ（１）は、前記シリンダ（４）の外周側に前記プランジャ（３）を前記カム（８、３２、３３）に追従させる復元スプリング（１７）を備えており、
前記シリンダ（４）は、前記復元スプリング（１７）に囲繞される筒部（６Ｂ）の領域のみにおいて前記薄肉部（４Ａ）を有していることを特徴とする高圧燃料ポンプ。
【発明の詳細な説明】
【技術分野】
【０００１】
本発明は、自動車用エンジンに搭載される燃料噴射装置、例えば、コモンレール（高圧燃料蓄圧器）内に蓄圧した高圧燃料をインジェクタによりエンジンの各気筒へ噴射するコモンレール式燃料噴射装置において、燃料供給手段として用いられる高圧燃料ポンプに関する。
【背景技術】
【０００２】
(従来の技術）
従来から、この種の高圧燃料ポンプは、種々な構成のものが実用に供されているが、シリンダとこのシリンダ内を滑動するプランジャとエンジンにより駆動されるカム機構とを備え、カム機構のカムの回転に伴うプランジャの往復動によって加圧室の燃料をコモンレールに圧送する基本構成である。
近年、燃料の高圧化や、大容量化が進んで、プランジャを高速で往復運動させざるを得なくなってきており、かくした場合における、シリンダとプランジャとの焼付き現象が危惧されている。
【０００３】
この焼付きのメカニズムについては種々の解析により究明されつつあるが、シリンダとプランジャとの滑合面の温度を下げることが焼付き防止手段の有力な手法であるとして、シリンダを燃料で積極的に冷却する提案がなされている（特許文献１参照）。
かかる提案は、プランジャの下側部分に小径の段付き部を設けるとともに、この段付き部を取り囲むように低圧燃料室を設け、プランジャの往復動による段付き部のポンプ作用によって低圧燃料室内とシリンダ外周側の低圧燃料通路との間で燃料の流動を発生させ、この燃料の流動によりシリンダを積極的に冷却するものである。
【０００４】
（従来技術の問題点）
しかしながら、上記特許文献１に記載のような冷却構造を高圧燃料ポンプに採用した場合、高圧燃料ポンプ自体の構造が複雑になるのみならず、冷却燃料不足や滑動面の潤滑不足により焼付き現象が生じ、未だ充分な解決策になり得ていないのが実情である。
よって、上記焼付き問題を、コンパクトな構成で解決できる高圧燃料ポンプが切望されている。
【０００５】
本発明者は、上記焼付き問題の原因を究明すべく、実験・研究を重ねたところ、プランジャがシリンダ内を滑動する過程において、プランジャがカム機構のカムにより駆動される際に軸線に対して傾斜しシリンダ内周面に押圧されることは知られていたが、図６に示すように、プランジャ３がシリンダ４の内周面に押圧される際に過大なサイドフォースが白抜き矢印のごとく作用し、プランジャ３とシリンダ４の両者の滑動面に過大な局所面圧が発生するために、焼付くことが確認された。プランジャ３とシリンダ４との隙間は、高圧化に伴う漏洩燃料量を最低限するために非常に厳しく設定されており、この隙間をできるだけ小さく保ちながら良好な滑動を得ることが課題である。
【先行技術文献】
【特許文献】
【０００６】
【特許文献１】特開２０１０−１０６７４１号公報
【発明の概要】
【発明が解決しようとする課題】
【０００７】
本発明は、上記のごとき事情に鑑みてなされたものであって、その目的は、シリンダ自体の横断面構造を、サイドフォースの作用方向を考慮した工夫ある形状にすることにより、シリンダとプランジャとの滑動面にサイドフォースによる過大な局所面圧が発生するのを抑止して、コンパクトな構成で、シリンダとプランジャとの焼付きを防ぐことができる高圧燃料ポンプを提供することにある。
【課題を解決するための手段】
【０００８】
［請求項１の手段］
請求項１に記載の発明によれば、燃料の加圧圧送のために軸方向に往復動するプランジャと、このプランジャが滑動する内周面を有し、プランジャを摺動可能に収納するシリンダと、プランジャを往復動させるカムを有するカム機構とを備え、カムの回転によりプランジャをシリンダ内で往復動させることにより、燃料を加圧圧送する高圧燃料ポンプにおいて、プランジャおよびシリンダの軸方向をＰ、カムの軸方向をＣ、この両軸方向Ｐ、Ｃと直交する方向をＺと呼ぶとき、シリンダは、Ｚ方向にのみ肉厚が薄い薄肉部を有することを特徴としている。
【０００９】
このような構成にすることにより、シリンダはサイドフォースが作用する方向に薄肉部を有しているため、シリンダがサイドフォースを受けて撓む（弾性変形する）ことが可能となり、換言すればプランジャにシリンダを倣わせることができ、プランジャとシリンダとの滑動面に過大な局所面圧が発生するのを抑止することができる。
また、シリンダの横断面形状を変更するだけで、別部材、別部品を新たに追加するような構成ではないため、高圧燃料ポンプ自体をコンパクトなものとすることができる。
【００１０】
［請求項２の手段］
請求項２に記載の発明によれば、シリンダは、軸方向Ｐと直角な横断面形状が、一対の曲面部と一対の平面部とからなる外周面を有する二面幅形状を呈しており、平面部とシリンダの内周面とによって薄肉部を形成していることを特徴としている。
かかる構成によれば、円形状の外周面に二面幅の切削加工を施すだけで、薄肉部を有するシリンダを作製することができ、シリンダを安価に得ることができる。
【００１１】
［請求項３の手段］
請求項３に記載の発明によれば、シリンダは、軸方向Ｐと直角な横断面形状が、短軸と長軸とをもつ楕円状の外周面を有する楕円形状を呈しており、短軸方向の外周面とシリンダの内周面とによって薄肉部を形成している。
【００１２】
［請求項４の手段］
請求項４に記載の発明によれば、シリンダは、軸方向Ｐと直角な横断面形状が、短辺と長辺とからなる外周面を有する長方形を呈しており、長辺側の外周面とシリンダの内周面とによって薄肉部を形成している。
【００１３】
［請求項５の手段］
請求項５に記載の発明によれば、高圧燃料ポンプは、シリンダの外周側にプランジャをカム機構のカムに追従させる復元スプリングを備えており、シリンダには、復元スプリングに囲繞される筒部の領域のみにおいて薄肉部を有していることを特徴としている。
かかる構成によれば、シリンダに対しサイドフォースが作用する要所に的確に薄肉部を設けてシリンダを効率的に撓ませることができ、シリンダ自体もより一層安価に作製することができる。
【図面の簡単な説明】
【００１４】
【図１】本発明が適用される単筒型高圧燃料ポンプをカム機構の軸線方向に沿って示す縦断面図である（実施例１）。
【図２】図１に示す高圧燃料ポンプをカム機構の軸線に直交する方向に沿って示す横断面図である（実施例１）。
【図３】本発明が適用される２筒対向型高圧燃料ポンプの主要部をカム機構の軸線に直交する方向に沿って示す横断面図である（実施例２）。
【図４】本発明の高圧燃料ポンプにおける動作説明に供する主要部の断面図で、（ａ）、（ｂ）は実施例１のポンプの模式的縦断面図、（ｃ）は実施例２のポンプの模式的縦断面図である。
【図５】（ａ）、（ｂ）、（ｃ）、（ｄ）は、本発明の高圧燃料ポンプで採用するシリンダの構造例を説明するための模式的横断面図である。
【図６】従来周知の高圧燃料ポンプにおけるシリンダの模式的横断面図である。
【発明を実施するための形態】
【００１５】
本発明を実施するための最良の形態は、燃料の加圧圧送のために軸方向に往復動するプランジャと、このプランジャが滑動する内周面を有し、プランジャを摺動可能に収納するシリンダと、プランジャを往復動させるカムを有するカム機構とを備え、カムの回転によりプランジャをシリンダ内で往復動させることにより、燃料を加圧圧送する高圧燃料ポンプにおいて、プランジャおよびシリンダの軸方向をＰ、カムの軸方向をＣ、この両軸方向Ｐ、Ｃと直交する方向をＺと呼ぶとき、シリンダは、Ｚ方向にのみ肉厚が薄い薄肉部を有している。この薄肉部は、サイドフォースが作用する方向と一致するため、その方向にシリンダを撓ませ（弾性変形させ）、サイドフォースを吸収することができる。
また、高圧燃料ポンプが、シリンダの外周側にプランジャをカムに追従させる復元スプリングを備えている場合、シリンダには、復元スプリングに囲繞される筒部の領域においてのみ上記薄肉部を形成することにより、製作が容易な最小体積の薄肉部によって効果的にシリンダを撓ませ、サイドフォースを吸収することができる。
【実施例】
【００１６】
以下、本発明の実施形態として、コモンレール式燃料噴射装置における燃料供給手段をなす高圧燃料ポンプに適用して具体化した実施例について、図面に従って説明する。なお、各図において、紙面の上下方向が、高圧燃料ポンプの取付けに際しての天地方向を示しており、各構成要素の説明には便宜上天地方向に即した呼称を採用する。
【００１７】
〔実施例１〕
実施例１の高圧燃料ポンプは、１つのシリンダを有する所謂単筒型のものであり、その基本構成について、図１、図２、図４（ａ）、（ｂ）を用いて概説する。
〔ポンプの基本構成〕
高圧燃料ポンプ１は、エンジン（図示せず）により回転駆動されるカム機構２と、カム機構２に駆動されて軸方向に往復動するプランジャ３と、プランジャ３が滑動する内周面を有し、プランジャ３を摺動可能に収納するシリンダ４とを備え、シリンダ４の上端側には燃料の加圧室５が形成されていて、プランジャ３をカム機構２により駆動してシリンダ４内で往復動させ、加圧室５の燃料を加圧圧送するものである。
本実施例では、シリンダ４がシリンダボディ６に鍛造・切削加工等により一体形成されているが、シリンダ４を別部材で作製しシリンダボディ６に圧入等にて組み付けることもできる。
【００１８】
そして、加圧圧送された燃料は、コモンレール（高圧燃料蓄圧器）（図示せず）に供給されて高圧状態で蓄圧され、さらにコモンレールからインジェクタ（図示せず）に供給されてエンジンの各気筒内に噴射される。なお、高圧燃料ポンプ１やインジェクタ等の駆動制御は、所定の電子制御装置（ＥＣＵ：図示せず）により実行される。
【００１９】
カム機構２は、エンジンにより回転駆動されるシャフト７およびこのシャフト７に一体的に設けられたカム８を主構成要素として構成されている。そして、シャフト７は、軸受ハウジング９を含むポンプハウジング１０に軸支され、カム８は、ポンプハウジング１０に設けられたカム室１１に収容されている。
【００２０】
また、ポンプハウジング１０には、シャフト７から回転力を得て駆動されるフィードポンプ（低圧燃料ポンプ）１２が組み付けられている。このフィードポンプ１２は、燃料タンク（図示せず）からの燃料を低圧燃料経路（図示せず）を介してシリンダ４の加圧室５に供給するものである。
【００２１】
カム機構２とプランジャ３との間には、カム８の回転運動を直線運動に変換してプランジャ３に伝達する駆動力伝達機構１３が介装されている。この駆動力伝達機構１３は、カム８に当接しカム８の回転に従って回転するローラ１４、このローラ１４を回転自在に収容するとともにプランジャ３の下端部３Ａに当接するタペット１５等の部品により構成されている。
【００２２】
そして、駆動力伝達機構１３は、カム８の回転に従い一体となって直線運動を行うように、ポンプハウジング１０にガイドされており、プランジャ３に駆動力を伝達する。なお、プランジャ３は、下端部３Ａに連結されたシート１６を介して復元スプリング１７により下方側に付勢され、この付勢力によりタペット１５に常時当接しており、タペット１５を介してカム８の動きに追従する。これらの駆動力伝達機構１３および復元スプリング１７は、シリンダボディ６とポンプハウジング１０との間に形成された室１８に収容されている。
【００２３】
室１８には、シリンダボディ６の端部６Ａから下方に垂下している筒部６Ｂが介入しており、この筒部６Ｂがシリンダ４の下側部分の領域を形成している。また、筒部６Ｂは、小径の円筒部を呈しており、復元スプリング１７は、この筒部６Ｂの外周を囲繞するようにして、シリンダボディ６の端部６Ａとシート１６との間に配置され、圧縮スプリングとして機能する。
【００２４】
なお、シリンダボディ６には、加圧室５の一端を開閉する電磁弁１９、加圧室５で加圧された燃料をコモンレールに導くための導出流路２０等が組み込まれている。
【００２５】
〔ポンプの基本動作〕
上記の基本構成を有する高圧燃料ポンプ１は、次のように動作する。
エンジンによりカム機構２のシャフト７が回転駆動されると、カム８の外周面形状に応じてローラ１４が回転しながらシリンダ４の軸方向に直線往復運動し、これに伴い、タペット１５およびプランジャ３もシリンダ４の軸方向に直線往復運動する。
【００２６】
この直線往復運動過程において、プランジャ３とシリンダ４との滑動面に焼付けが生じるメカニズムを、図４（ａ）に基づいて説明する。
プランジャ３は、カム８からの回転方向の駆動力を受けて、その下端部３Ａが軸線方向とは直交する方向（径方向）に移動し、プランジャ３がシリンダ４に対して傾斜することになる。このプランジャ３の径方向の動きは、プランジャ３の本来の軸方向移動以外の動きである。つまり、カム８が矢印Ｙのごとく回転することによりその回転方向の分力によって駆動力伝達機構１３を介してプランジャ３の下端部３Ａを白抜き矢印方向に押す力（以下、サイドフォースという。）が発生し、プランジャ３とシリンダ４との間には隙間があることから、プランジャ３がシリンダ４に対して傾斜することになる。その結果、プランジャ３がシリンダ４の内周面と局所的に接触しながら滑動するため、プランジャ３とシリンダ４との滑動面にサイドフォースによる過大な局所面圧が発生することになり、焼付きを招くことが確認された。
【００２７】
〔実施例１の特徴技術〕
そこで、サイドフォースを吸収する手段として、プランジャ３およびシリンダ４のいずれかを弾性変形させることに着目した。
プランジャ３およびシリンダ４は、共に鉄鋼材料からなるものであるが、プランジャ３が中実であるのに対し、シリンダ４は中空で弾性変形が容易であるため、このシリンダ４の方を弾性変形させることを基本的な構成とし、図４（ｂ）に示すように、シリンダ４を軸方向と直交する方向（径方向）に撓ませる（弾性変形させる）ことにより、プランジャ３の動きにシリンダ４の内周面が倣うようにするものである。
【００２８】
そして、サイドフォースの作用方向（白抜き矢印方向）とシリンダ４を弾性変形させる方向（径方向）とのマッチングが必要であり、シリンダ４に対するサイドフォースの作用方向を精査したところ、カム機構２のカム８やこのカム８より駆動されるプランジャ３との関係がきわめて重要であって、プランジャ３（当然シリンダ４も含む）の軸方向をＰ、カム８の軸方向をＣとしたとき、この両軸方向Ｐ、Ｃと直交する方向、つまりＺ方向にサイドフォースが作用することが特定された。よって、シリンダ４には、Ｚ方向のみに肉厚の薄い薄肉部４Ａが形成されている。
【００２９】
次に、上記の薄肉部４Ａを有するシリンダ４の具体的構造について、図５を用いて説明する。
図５は、図４（ａ）におけるＸ−Ｘ線に沿うプランジャ３およびシリンダ４（筒部６Ｂ）の横断面図であり、白抜き矢印のサイドフォースの作用方向がＺ方向に一致している。
【００３０】
図５（ａ）において、シリンダ４は、筒部６Ｂの外周面が、一対の曲面部４ａと一対の平面部４ｂとからなる二面幅形状を呈している。曲面部４ａ間の寸法Ｂ（＝筒部６Ｂの直径φＤ）に対し、平面部４ｂ間の寸法ＡはＡ＜Ｂと小さくなっており、シリンダ４の内周面と平面部４ｂとによって薄肉部４Ａが形成されている。
【００３１】
図５（ｂ）において、シリンダ４は、筒部６Ｂおよびプランジャ３における軸方向Ｐと直角な横断面形状が、短軸（寸法Ａ）と長軸（寸法Ｂ）とをもつ楕円状の外周面を有する楕円形状を呈しており、その短軸方向の外周面とシリンダ４の内周面とによって薄肉部４Ａが形成されている。
【００３２】
図５（ｃ）において、シリンダ４は、筒部６Ｂおよびプランジャ３における軸方向Ｐと直角な横断面形状が、寸法Ａの短辺部４ｃと寸法Ｂの長辺部４ｄとからなる外周面を有する長方形を呈しており、その長辺部４ｄ側の外周面とシリンダ４の内周面とによって薄肉部４Ａが形成されている。
【００３３】
図５（ｄ）において、シリンダ４は、筒部６Ｂおよびプランジャ３における軸方向Ｐと直角な横断面形状が、直径φＤ（＝寸法Ｂ）の外周面に一対の軸方向溝４ｅを有する欠円形状を呈しており、寸法Ａ（＜Ｂ）の幅を形成する軸方向溝４ｅとシリンダ４の内周面とによって薄肉部４Ａが形成されている。
【００３４】
〔実施例１の効果〕
上述のごとく、シリンダ４には、Ｚ方向にのみ肉厚が薄い薄肉部４Ａが形成されているため、シリンダ４は、サイドフォースが作用する方向の肉厚が薄く、サイドフォースを受けることにより図４（ｂ）に示すように径方向に弾性変形する。よって、サイドフォースを吸収し、プランジャ３とシリンダ４との滑動面にサイドフォースによる過大な局所面圧が発生するのを抑止することができ、プランジャ３がシリンダ４の内周面に倣って良好に滑動するため、プランジャ３とシリンダ４との焼付きを防ぐことができる。
【００３５】
上記構成による高圧燃料ポンプ１は、シリンダ４のみの、しかも僅かな改造で実現できるため、全体としてコンパクトな構成とすることができる。
特に、図５（ａ）に示すシリンダ４は、例えば、シリンダボディ６全体を鍛造により作製した際に、一体に膨出形成した円筒状の筒部６Ｂに対して平面部４ｂを設けるための二面幅の切削加工を施すだけでよく、製造コストを安価にすることができる。
図５（ｄ）に示すシリンダ４も、同様に鍛造により作製した円筒状の筒部６Ｂに対して軸方向溝４ｅを設けるための切削加工を施すだけでよく、安価に製造することができる。
【００３６】
〔実施例２〕
実施例２の高圧燃料ポンプは、カム機構を挟んで２つのシリンダを対向配置した所謂２筒対向型のものであり、その基本構成について、図３および図４（ｃ）を用いて概説する。ただし、実施例１と実質的に等価の構成要素については、実施例１と同一の符号を付し、説明を省略する。
高圧燃料ポンプ１のポンプハウジング１０には、カム機構３０を挟んで図示上下方向に対向配置されるように、２つのポンプ機構Ｐ１、Ｐ２が組み込まれている。
【００３７】
カム機構３０は、エンジンにより回転駆動されるシャフト３１上に偏心カム３２およびカムリング３３を備えている。このカム機構３０が、実施例１のカム機構２に相当し、偏心カム３２およびカムリング３３が、実施例１のカム８に相当する。
偏心カム３２は、円柱形状を呈しており、シャフト３１に一体的に設けられているが、その中心軸線は、シャフト３１の中心軸線に対して偏心しており、この偏心カム３２の外周に、カムリング３３が嵌合されている。このカムリング３３は、四角筒形状を呈しており、円形状の貫通孔３４の内周面と偏心カム３２の外周面とが接しながら偏心カム３２に対して周方向に相対移動可能になっているため、シャフト３１の周りを自転せずに公転する。
【００３８】
各ポンプ機構Ｐ１、Ｐ２は、実質的に同一の構成要素を有し、同一の機能を発揮するように組み立てられており、カム機構３０により駆動されて軸方向に往復動するプランジャ３と、プランジャ３が滑動する内周面を有し、プランジャ３を摺動可能に収納するシリンダ４とを備え、シリンダ４の一端側（上端側もしくは下端側）には燃料の加圧室５が形成されていて、加圧室５の燃料を加圧圧送するものである。
なお、本実施例でも、実施例１同様、シリンダ４がシリンダボディ６に鍛造・切削加工等により一体形成されているが、シリンダ４を別部材で作製しシリンダボディ６に圧入等にて組み付けることもできる。
【００３９】
一方のプランジャ３は、反加圧室側端部（下端部もしくは上端部）３Ｂが円盤状をなしており、復元スプリング１７にて、カムリング３３の四平面のうちの一面に常に押付けられている。他方のプランジャ３も、同様に、復元スプリング１７にて、カムリング３３における上記一面と対向する一面に常に押付けられている。このようにカムリング３３は、プランジャ３にて挟まれているため、偏心カム３２が回転駆動すると、偏心カム３２の周りを自転せずに、シャフト３１の周りを公転しながら、プランジャ３をシリンダ４内で往復動させる。                                       
【００４０】
上述のように構成された高圧燃料ポンプ１において、プランジャ３とシリンダ４との滑動面に焼付けが生じるメカニズムを説明する。ただし、２つのポンプ機構Ｐ１、Ｐ２は、実質的に同一の構成要素・機能を備えているため、一方のポンプ機構Ｐ１を代表して、図４（ｃ）に基づいて説明する。
本実施例においても、実施例１と同様に、プランジャ３は、偏心カム３２からの回転方向Ｙの駆動力を受けて、その下端部３Ｂが軸線方向とは直交する方向（径方向）に移動し、プランジャ３がシリンダ４に対して傾斜することになる。つまり、プランジャ３には、その下端部３Ｂを白抜き矢印方向に押すサイドフォースが発生し、プランジャ３がシリンダ４の内周面と局所的に接触しながら滑動するため、プランジャ３とシリンダ４との滑動面にサイドフォースによる過大な局所面圧が発生することになり、焼付きを招くことが確認された。
【００４１】
そこで、本実施例においても、サイドフォースの作用方向（白抜き矢印方向）とシリンダ４を弾性変形させる方向（径方向）とのマッチングのために、サイドフォースの作用方向として特定された方向、即ち、プランジャ３（当然シリンダ４も含む）の軸方向をＰ、偏心カム３２の軸方向をＣとしたとき、この両軸方向Ｐ、Ｃと直交するＺ方向のみに肉厚の薄い薄肉部４Ａを形成している。
【００４２】
上記の薄肉部４Ａを有するシリンダ４の具体的構造としては、実施例１と同様に、図５に示す構造を採用している。図５は、図４（ｃ）におけるＸ−Ｘ線に沿うプランジャ３およびシリンダ４（筒部６Ｂ）の横断面図にも相当し、白抜き矢印のサイドフォースの作用方向がＺ方向に一致している。
【００４３】
かくして、シリンダ４に、図５（ａ）〜（ｄ）に示すいずれの薄肉部４Ａの構造を用いた場合であっても、実施例１と同様な効果を得ることができた。
【００４４】
［変形例］
以上、実施例１、２として、２つの型式の高圧燃料ポンプ１への適用例を詳述したが、この種の高圧燃料ポンプとしては、種々の構成のものが実用に供されているので、その他の適用事例を変形例として説明する。
【００４５】
基本的には、燃料の加圧圧送のために軸方向に往復動するプランジャと、プランジャが滑動する内周面を有し、プランジャを摺動可能に収納するシリンダと、プランジャを往復動させるカムを有するカム機構とを備え、カムの回転によりプランジャをシリンダ内で往復動させることにより、燃料を加圧圧送するタイプの高圧燃料ポンプである限り、本発明の精神を逸脱することなくすべて適用することができる。
また、シリンダ４に形成する薄肉部４Ａの具体的形状・構造についても、図５に示すものに限定されることなく、本発明の精神を逸脱しない範囲で種々変更することができることは勿論である。
【００４６】
その一例を示すと、
（１）高圧燃料ポンプとしては、複数のシリンダが軸方向に配置される所謂列型タイプや、複数のシリンダがカム軸の周りに放射状に配置されるＶ字型タイプ等であっても、適用することができる。
（２）シリンダ４には、復元スプリング１７に囲繞される筒部６Ｂ以外にも、薄肉部４Ａ  を設けても良い。特に、シリンダ４が別部材で作製される場合には、シリンダ４の軸方向の全領域にわたって薄肉部４Ａを設ける方が、製造面で得策である。
【符号の説明】
【００４７】
１…高圧燃料ポンプ、２…カム機構、３…プランジャ、４…シリンダ、４Ａ…薄肉部、４ａ…曲面部、４ｂ…平面部、４ｃ…短辺部、４ｄ…長辺部、４ｅ…軸方向溝、６…シリンダボディ、６Ｂ…筒部、８…カム、１７…復元スプリング、３０…カム機構、３２…偏心カム、３３…カムリング。
【図１】
0005810943.tif 000002
【図２】
0005810943.tif 000003
【図３】
0005810943.tif 000004
【図４】
0005810943.tif 000005
【図５】
0005810943.tif 000006
【図６】
0005810943.tif 000007